【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
上空に位置する無線中継装置を介して通信を行う通信システムであって、
前記無線中継装置との間に複数のフィーダリンクの無線区間を形成する複数のゲートウェイ局が、地上又は海上の地理的に互いに離れた複数の位置に配置され、
前記複数のゲートウェイ局に接続された基地局を備え、
前記無線中継装置、前記ゲートウェイ局及び前記基地局それぞれの現在位置の位置情報を管理する管理装置を備え、
前記複数のゲートウェイ局は、前記無線中継装置との間で、前記複数のフィーダリンクを介した信号の同時送受信又は前記フィーダリンクの切り替えを伴う信号の送受信を行い、
前記複数のゲートウェイ局はそれぞれ、前記ゲートウェイ局から前記無線中継装置に信号を送信するフォワードリンクにおいて、前記管理装置から取得した前記無線中継装置、前記ゲートウェイ局及び前記基地局それぞれの現在位置の位置情報に基づいて、前記基地局と前記ゲートウェイ局との間の伝送遅延時間と前記ゲートウェイ局と前記無線中継装置との間の伝搬遅延時間の両方の遅延時間に応じたオフセットを計算し、その計算したオフセットだけ前記信号の送信タイミングをずらすことを特徴とする通信システム。
【請求項２】
上空に位置する無線中継装置を介して通信を行う通信システムであって、
前記無線中継装置との間に複数のフィーダリンクの無線区間を形成する複数のゲートウェイ局が、地上又は海上の地理的に互いに離れた複数の位置に配置され、
前記複数のゲートウェイ局に接続された基地局を備え、
前記無線中継装置、前記ゲートウェイ局及び前記基地局それぞれの現在位置の位置情報を管理する管理装置を備え、
前記基地局は、前記複数のゲートウェイ局を介して前記無線中継装置に信号を送信する複数のフォワードリンクそれぞれにおいて、前記管理装置から取得した前記無線中継装置、前記ゲートウェイ局及び前記基地局それぞれの現在位置の位置情報に基づいて、前記基地局と前記ゲートウェイ局との間の伝送遅延時間と前記ゲートウェイ局と前記無線中継装置との間の伝搬遅延時間の両方の遅延時間に応じたオフセットを計算し、その計算したオフセットだけ前記信号の送信タイミングをずらすことを特徴とする通信システム。
【請求項３】
請求項１又は２の通信システムにおいて、
前記複数のフォワードリンクのうち前記両方の遅延時間が最も長いフォワードリンクを基準にし、前記基準のフォワードリンクに対応するオフセットをゼロに設定し、他のフォワードリンクに対応するオフセットの計算を行うことを特徴とする通信システム。
【請求項４】
上空に位置する無線中継装置を介して通信を行う通信システムであって、
前記無線中継装置との間に複数のフィーダリンクの無線区間を形成する複数のゲートウェイ局が、地上又は海上の地理的に互いに離れた複数の位置に配置され、
前記複数のゲートウェイ局に接続された基地局を備え、
前記無線中継装置、前記ゲートウェイ局及び前記基地局それぞれの現在位置の位置情報を管理する管理装置を備え、
前記複数のゲートウェイ局はそれぞれ、前記複数のゲートウェイ局を介して前記無線中継装置に信号を送信する複数のフォワードリンクそれぞれにおいて、前記管理装置から取得した前記無線中継装置及び前記ゲートウェイ局それぞれの現在位置の位置情報に基づいて、前記ゲートウェイ局と前記無線中継装置との間の伝搬遅延時間に応じたオフセットを計算し、その計算したオフセットだけ前記信号の送信タイミングをずらし、
前記基地局は、前記複数のフォワードリンクそれぞれにおいて、前記管理装置から取得した前記ゲートウェイ局及び前記基地局それぞれの現在位置の位置情報に基づいて、前記基地局と前記ゲートウェイ局との間の伝送遅延時間に応じたオフセットを計算し、その計算したオフセットだけ前記信号の送信タイミングをずらすことを特徴とする通信システム。
【請求項５】
請求項４の通信システムにおいて、
前記複数のフォワードリンクのうち前記伝搬遅延時間が最も長いフォワードリンクを基準にし、前記基準のフォワードリンクに対応するオフセットをゼロに設定し、他のフォワードリンクに対応するオフセットの計算を行い、
前記複数のフォワードリンクのうち前記伝送遅延時間が最も長いフォワードリンクを基準にし、前記基準のフォワードリンクに対応するオフセットをゼロに設定し、他のフォワードリンクに対応するオフセットの計算を行うことを特徴とする通信システム。
【請求項６】
請求項１乃至５のいずれかの通信システムにおいて、
前記基地局は、前記無線中継装置から前記複数のゲートウェイ局を介して信号を受信する複数のリバースリンクそれぞれにおいて、管理装置から取得した前記無線中継装置、前記ゲートウェイ局及び前記基地局それぞれの現在位置の位置情報に基づいて、前記基地局と前記ゲートウェイ局との間の伝送遅延時間と前記ゲートウェイ局と前記無線中継装置との間の伝搬遅延時間の両方の遅延時間に応じたオフセットを計算し、その計算したオフセットだけ前記信号の受信タイミングをずらすことを特徴とする通信システム。
【請求項７】
請求項１乃至５のいずれかの通信システムにおいて、
前記複数のゲートウェイ局はそれぞれ、前記無線中継装置から信号を受信する複数のリバースリンクそれぞれにおいて、管理装置から取得した前記無線中継装置、前記ゲートウェイ局及び前記基地局それぞれの現在位置の位置情報に基づいて、前記基地局と前記ゲートウェイ局との間の伝送遅延時間と前記ゲートウェイ局と前記無線中継装置との間の伝搬遅延時間の両方の遅延時間に応じたオフセットを計算し、その計算したオフセットだけ前記信号の受信タイミングをずらすことを特徴とする通信システム。
【請求項８】
請求項６又は７の通信システムにおいて、
前記複数のリバースリンクのうち前記両方の遅延時間が最も長いリバースリンクを基準にし、前記基準のリバースリンクに対応するオフセットをゼロに設定し、他のリバースリンクに対応するオフセットの計算を行うことを特徴とする通信システム。
【請求項９】
請求項１乃至５のいずれかの通信システムにおいて、
前記複数のゲートウェイ局はそれぞれ、前記無線中継装置から信号を受信する複数のリバースリンクそれぞれにおいて、管理装置から取得した前記無線中継装置及び前記ゲートウェイ局それぞれの現在位置の位置情報に基づいて、前記ゲートウェイ局と前記無線中継装置との間の伝搬遅延時間に応じたオフセットを計算し、その計算したオフセットだけ前記信号の受信タイミングをずらし、
前記基地局は、前記複数のリバースリンクそれぞれにおいて、前記管理装置から取得した前記ゲートウェイ局及び前記基地局それぞれの現在位置の位置情報に基づいて、前記ゲートウェイ局と前記基地局との間の伝送遅延時間に応じたオフセットを計算し、その計算したオフセットだけ前記信号の受信タイミングをずらすことを特徴とする通信システム。
【請求項１０】
請求項９の通信システムにおいて、
前記基地局は、前記複数のリバースリンクのうち前記伝送遅延時間が最も長いリバースリンクを基準にし、前記基準のリバースリンクに対応するオフセットをゼロに設定し、他のリバースリンクに対応するオフセットの計算を行い、
前記複数のゲートウェイ局はそれぞれ、前記複数のリバースリンクのうち前記伝搬遅延時間が最も長いリバースリンクを基準にし、前記基準のリバースリンクに対応する前記オフセットをゼロに設定し、他のリバースリンクに対応する前記オフセットの計算を行うことを特徴とする通信システム。
【請求項１１】
上空に位置する無線中継装置との間にフィーダリンクの無線区間を形成するように地上又は海上の地理的に互いに離れた複数の位置に配置された複数のゲートウェイ局のいずれかのゲートウェイ局であって、
前記無線中継装置との間で、前記複数のゲートウェイ局のうち自局以外の他のゲートウェイ局と協調した信号の同時送受信又は前記他のゲートウェイ局との切り替えを伴う信号の送受信を行い、
前記無線中継装置に信号を送信するフォワードリンク又は前記無線中継装置から信号を受信するリバースリンクにおいて、管理装置から取得した前記無線中継装置、自局及び自局に接続された基地局それぞれの現在位置の位置情報に基づいて、自局と前記基地局との間の伝送遅延時間と自局と前記無線中継装置との間の伝搬遅延時間の両方の遅延時間に応じたオフセットを計算し、その計算したオフセットだけ前記フォワードリンクの信号の送信タイミング又は前記リバースリンクの信号の受信タイミングをずらすことを特徴とするゲートウェイ局。
【請求項１２】
請求項１１のゲートウェイ局において、
前記複数のフォワードリンクのうち前記両方の遅延時間が最も長いフォワードリンクを基準にし、前記基準のフォワードリンクに対応するオフセットをゼロに設定し、他のフォワードリンクに対応するオフセットの計算を行い、
前記複数のリバースリンクのうち前記両方の遅延時間が最も長いリバースリンクを基準にし、前記基準のリバースリンクに対応するオフセットをゼロに設定し、他のリバースリンクに対応するオフセットの計算を行うことを特徴とするゲートウェイ局。
【請求項１３】
上空に位置する無線中継装置との間に複数のフィーダリンクの無線区間を形成するように地上又は海上の地理的に互いに離れた複数の位置に配置された複数のゲートウェイ局に接続され、
前記無線中継装置との間で、前記複数のフィーダリンクを介した信号の同時送受信又は前記フィーダリンクの切り替えを伴う信号の送受信を行い、
前記複数のゲートウェイ局を介して前記無線中継装置に信号を送信する複数のフォワードリンクそれぞれ又は前記複数のゲートウェイ局を介して前記無線中継装置から信号を受信する複数のリバースリンクそれぞれにおいて、管理装置から取得した前記無線中継装置、前記ゲートウェイ局及び自局それぞれの現在位置の位置情報に基づいて、自局と前記ゲートウェイ局との間の伝送遅延時間と前記ゲートウェイ局と前記無線中継装置との間の伝搬遅延時間の両方の遅延時間に応じたオフセットを計算し、その計算したオフセットだけ前記フォワードリンクの信号の送信タイミング又は前記リバースリンクの信号の受信タイミングをずらすことを特徴とする基地局。
【請求項１４】
請求項１３の基地局において、
前記複数のフォワードリンクのうち前記両方の遅延時間が最も長いフォワードリンクを基準にし、前記基準のフォワードリンクに対応するオフセットをゼロに設定し、他のフォワードリンクに対応するオフセットの計算を行い、
前記複数のリバースリンクのうち前記両方の遅延時間が最も長いリバースリンクを基準にし、前記基準のリバースリンクに対応するオフセットをゼロに設定し、他のリバースリンクに対応するオフセットの計算を行うことを特徴とする基地局。
【手続補正２】
【補正対象書類名】明細書
【補正対象項目名】発明の名称
【補正方法】変更
【補正の内容】
【発明の名称】通信システム、ゲートウェイ局及び基地局